(57)【要約】【課題】天井側遮蔽部材と床側遮蔽部材とを容易に連動でき、迅速な遮蔽作動が可能で、しかも、構造の簡素化及び軽量化を実現可能な移動間仕切り壁を提供する。【解決手段】移動壁本体１の上端縁部１ａに上下移動可能に設けられ上端縁部１ａと室内の天井12との間を遮蔽するための天井側遮蔽部材２と、移動壁本体１の下端縁部１ｂに上下移動可能に設けられ下端縁部１ｂと室内の床13との間を遮蔽するための床側遮蔽部材３と、天井側遮蔽部材２に上端部62ａが連結され天井側遮蔽部材２に昇降力を伝達するための第１連結部材62と、床側遮蔽部材３に下端部63ｂが連結され床側遮蔽部材３に昇降力を伝達するための第２連結部材63と、を備えた移動間仕切り壁に於て、正面視で移動壁本体１の中央領域の内部空間に回動自在に配設された回動部材６を備え、回動部材６に、第１連結部材62の下端部62ｂと、第２連結部材63の上端部63ａとを、枢結した。【選択図】図２
2018053481.tif 000002
【特許請求の範囲】
【請求項１】
移動壁本体（１）の上端縁部（１ａ）に上下移動可能に設けられ該上端縁部（１ａ）と室内の天井（12）との間を遮蔽するための天井側遮蔽部材（２）と、上記移動壁本体（１）の下端縁部（１ｂ）に上下移動可能に設けられ該下端縁部（１ｂ）と室内の床（13）との間を遮蔽するための床側遮蔽部材（３）と、上記天井側遮蔽部材（２）に上端部（62ａ）が連結され該天井側遮蔽部材（２）に昇降力を伝達するための第１連結部材（62）と、上記床側遮蔽部材（３）に下端部（63ｂ）が連結され該床側遮蔽部材（３）に昇降力を伝達するための第２連結部材（63）と、を備えた移動間仕切り壁に於て、
正面視で上記移動壁本体（１）の中央領域の内部空間に回動自在に配設された回動部材（６）を備え、
上記回動部材（６）に、上記第１連結部材（62）の下端部（62ｂ）と、上記第２連結部材（63）の上端部（63ａ）とを、枢結したことを特徴とする移動間仕切り壁。
【請求項２】
上記天井側遮蔽部材（２）の上昇及び上記床側遮蔽部材（３）の降下を阻止するためのロック手段（９）を備え、
上記ロック手段（９）は、上記回動部材（６）に先端部（91ａ）が枢結されロック状態で上記回動部材（６）の回動を阻止するためのロック力伝達部材（91）を具備している請求項１記載の移動間仕切り壁。
【発明の詳細な説明】
【技術分野】
【０００１】
本発明は、移動間仕切り壁に関する。
【背景技術】
【０００２】
従来、移動間仕切り壁は、展示場や美術館等の室内を間仕切りする際に、光や音が、移動壁本体と天井の間や、床との間から、漏れるのを防止するために、移動壁本体に可動式の遮蔽部材を設け、その遮蔽部材を複数組のラック・ピニオン機構で連動連結したものがあった（例えば、特許文献１参照）。
【先行技術文献】
【特許文献】
【０００３】
【特許文献１】特許第５６６７６１６号公報
【発明の概要】
【発明が解決しようとする課題】
【０００４】
しかし、ラック・ピニオン機構は、噛合による摩擦力が大きく、遮蔽部材を作動させるために強い力（大径）のガススプリングを複数本設ける必要があった。また、ラック・ピニオンの製作や、複数のラック部材と複数のピニオン部材との相互間寸法の位置決めを、高精度におこなう必要があり、手間と時間（製造コスト）がかかるという問題があった。また、部品点数が多く、構造が複雑で移動間仕切り壁全体が重くなり、走行（移動）時の使い勝手が悪くなるという問題もあった。
【０００５】
そこで、本発明は、天井側遮蔽部材と床側遮蔽部材とを容易に連動でき、迅速な遮蔽作動が可能で、しかも、構造の簡素化及び軽量化を実現可能な移動間仕切り壁の提供を目的とする。
【課題を解決するための手段】
【０００６】
上記目的を達成するために、本発明の移動間仕切り壁は、移動壁本体の上端縁部に上下移動可能に設けられ該上端縁部と室内の天井との間を遮蔽するための天井側遮蔽部材と、上記移動壁本体の下端縁部に上下移動可能に設けられ該下端縁部と室内の床との間を遮蔽するための床側遮蔽部材と、上記天井側遮蔽部材に上端部が連結され該天井側遮蔽部材に昇降力を伝達するための第１連結部材と、上記床側遮蔽部材に下端部が連結され該床側遮蔽部材に昇降力を伝達するための第２連結部材と、を備えた移動間仕切り壁に於て、正面視で上記移動壁本体の中央領域の内部空間に回動自在に配設された回動部材を備え、上記回動部材に、上記第１連結部材の下端部と、上記第２連結部材の上端部とを、枢結したものである。
また、上記天井側遮蔽部材の上昇及び上記床側遮蔽部材の降下を阻止するためのロック手段を備え、上記ロック手段は、上記回動部材に先端部が枢結されロック状態で上記回動部材の回動を阻止するためのロック力伝達部材を具備しているものである。
【発明の効果】
【０００７】
本発明によれば、天井側遮蔽部材と床側遮蔽部材を簡素な構造をもって連動連結でき、容易かつ迅速に製造できる。製造効率を向上させると共に、製造コストを大幅に削減できる。また、軽量・薄型に容易に製作できる。作動時の摩擦が少なく、動力の伝達ロスが少なくなって、小さな動力源で、スムーズに効率良く各遮蔽部材を作動させることができる。軽量で容易に軽い力で走行させることができて使い勝手を向上できる。
【図面の簡単な説明】
【０００８】
【図１】本発明の実施の一形態を示す正面図であって、（ａ）は間仕切り開始状態を示す正面図であり、（ｂ）は間仕切り途中状態を示す正面図である。
【図２】本発明の実施の一形態を示し、非遮蔽状態の要部断面正面図である。
【図３】遮蔽状態の要部断面正面図である。
【図４】非遮蔽状態の要部拡大図である。
【図５】遮蔽状態の要部拡大図である。
【図６】遮蔽状態の要部拡大断面側面図である。
【発明を実施するための形態】
【０００９】
以下、図示の実施形態に基づき本発明を詳説する。
本発明に係る移動間仕切り壁は、図１（ａ）に示すように、天井12から吊り下げられる複数枚の正面視長方形状の移動壁本体１，１を備え、吊下部材19によって天井12から吊下支持され、図示省略の天井側ガイドレールに沿って、室内の左右一方側Ｅｅの側壁に向かって走行し、室内を間仕切りするように平面視一直線状に配設される。
【００１０】
移動壁本体１は、移動壁本体１の上端縁部１ａに上下移動可能に設けられた天井側遮蔽部材２と、移動壁本体１の下端縁部１ｂに上下移動可能に設けられた床側遮蔽部材３と、を備えている。
図１（ｂ）に示すように、天井側遮蔽部材２にて移動壁本体１の上端縁部１ａと室内の天井12との間を遮蔽すると共に、床側遮蔽部材３にて移動壁本体１の下端縁部１ｂと室内の床13との間を遮蔽して、遮音や遮光可能に室内を間仕切りするものである。
【００１１】
図２に示すように、天井側遮蔽部材２及び床側遮蔽部材３は、横断面コの字状の遮蔽本体部20，30を有し、非遮蔽状態で、移動壁本体１の正面壁部材10と背面壁部材11の間に内嵌状に収納されている。
【００１２】
そして、天井側遮蔽部材２に上端部62ａが連結され天井側遮蔽部材２に昇降力を伝達するための第１連結部材62と、床側遮蔽部材３に下端部63ｂが連結され床側遮蔽部材３に昇降力を伝達するための第２連結部材63と、を備えている。
第１連結部材62と天井側遮蔽部材２の連結構造、及び、第２連結部材63と床側遮蔽部材３の連結構造は、各遮蔽部材２，３に固着される支持部材に、前後水平状軸心をもって各連結部材62，63を枢着した連結構造としているが、この連結構造は自由であって、各遮蔽部材２，３と各連結部材62，63との間に、コイルスプリングやクッションゴム等の弾発付勢部材を介在させる連結構造や、半球状凹部（球面座）と半球状凸部との摺接による連結構造や、長孔と該長孔に移動自在に差し込まれるピンとの連結構造や、係止部同士による連結構造とするも良い。
【００１３】
さらに、図２及び図３に示すように、正面視で移動壁本体１の中央領域の内部空間に回動自在に配設された１つの回動部材６を備えている。
ここで、「正面視で移動壁本体１の中央領域に回動自在に配設」とは、移動壁本体１の左右一方側端縁部１ｅから、移動壁本体１の幅寸法Ｗの４０％以上６０％以下の範囲、かつ、移動壁本体１の下端縁部１ｂから、移動壁本体１の上下寸法Ｈの４０％以上６０％以下の範囲に、回動部材６の回動軸心Ｌ６が配設されて、回動部材６が移動壁本体１の内部固定部に枢着していることをいう。また、内部空間は、正面壁部材10と背面壁部材11との間の空間をいう。回動部材６は移動壁本体１の内部固定部に両持ち支持される枢支軸によって枢着されている。
【００１４】
そして、１つの回動部材６に、第１連結部材62の下端部62ｂを前後水平状の第１枢結軸心Ｌｂ廻りに揺動自在に直接的（リンク部材を介さず）に枢結すると共に、第２連結部材63の上端部63ａを前後水平状の第２枢結軸心Ｌｃ廻りに揺動自在に直接的（リンク部材を介さず）に枢結している。
【００１５】
回動部材６が回動軸心Ｌ６廻りに回動した際に、第１連結部材62の下端部62ｂ（第１枢結軸心Ｌｂ）と、第２連結部材63の上端部63ａ（第２枢結軸心Ｌｃ）と、が相互に異なる上下方向に移動（回動軸心Ｌ６を支点としてシーソー状移動）するように、各軸心Ｌ６，Ｌｂ，Ｌｃを配設している。
【００１６】
つまり、図２及び図４の非遮蔽状態から、回動部材６が、回動軸心Ｌ６廻りの回転一方向Ｎ１に回転すると、図３及び図５に示すように、第１連結部材62が上昇すると共に第２連結部材63が降下して、遮蔽状態となるように構成している。
言い換えると、図３及び図５の遮蔽状態から、回動部材６が回転軸心Ｌ６廻りの回転他方向Ｎ２へ回動すると、第１連結部材62が降下すると共に第２連結部材63が上昇して図２及び図４に示す遮蔽状態となる。
【００１７】
また、回動部材６及び後述のロック力伝達部材91を介して、天井側遮蔽部材２と床側遮蔽部材３とを、移動壁本体１の外方へ、つまり、天井側遮蔽部材２に上昇力を付与して天井側へ、床側遮蔽部材３に降下力を付与して床側へ移動するように弾発付勢する作動用弾発付勢部材60を備えている。
作動用弾発付勢部材60は、伸長する方向に押し力を発揮するガススプリング（ガスダンパー）から成り、各遮蔽部材２，３を作動させるための機械的な駆動源である。従って、作動用の電気モータを設ける必要がなく、電源等の配線も必要なく容易に製作できる。また、モータ等の作動音が無く、静かに作動させることができる。電気的な駆動に頼らず、機械的な駆動が可能で、停電等の災害時にも使用できる。
作動用弾発付勢部材60は、移動壁本体１の内部空間に配設され、基端部60ｂを前後水平状の揺動軸心をもって移動壁本体１の内部固定部に枢着すると共に、先端部60ａを前後水平状の作動源用枢結軸心Ｌｇをもってロック力伝達部材91の左右方向の中間部91ｃに枢結している。このように設けることで、部品点数の削減、構造の簡素化、軽量化を実現している。
【００１８】
作動用弾発付勢部材60は、図２及び図４の短縮状態から図３及び図５の伸長状態に切り換わることで、ロック力伝達部材91を介して（左右一方側Ｅｅへ移動させて）、回動部材６を回転一方向Ｎ１に回動させるように設けている。また、作動用弾発付勢部材60は、傾斜状姿勢で、図６に示すように、前後方向に並列状に（並べて）２本設けている。
【００１９】
さらに、作動用弾発付勢部材60の弾発力による回動部材６の回動を阻止して、天井側遮蔽部材２の上昇及び床側遮蔽部材３の降下を阻止するためのロック手段９を備えている。
ロック手段９は、回動部材６に先端部91ａが枢結されロック状態（図２及び図４）で弾発付勢部材60の弾発力による回動部材６の回動を阻止するため、言い換えると、作動用弾発付勢部材60が短縮状態から伸長状態に切り換わるのを阻止するためのロック力伝達部材91を備えている。
【００２０】
ロック力伝達部材91は、左右方向に沿って配設された板状乃至棒状であって、先端部91ａが前後水平状のロック用枢結軸心Ｌｄをもって、回動部材６に揺動自在に枢結している。また、ロック力伝達部材91は、遮蔽用作動力を回動部材６へ伝達する部材でもある。
【００２１】
つまり、回動部材６には、第１連結部材62と第２連結部材63とロック力伝達部材91とが枢結されており、各枢結軸心Ｌｂ，Ｌｃ，Ｌｄは、回動軸心Ｌ６を中心として回動軸心Ｌ６廻りに配設されている。
【００２２】
また、図６に示すように、回動部材６は、板状であって（板材から成り）、第１連結部材62が枢結する第１片部６ｂと、第２連結部材63が枢結する第２片部６ｃと、ロック力伝達部材91が枢結する第３片部６ｄと、第４片部６ｅと、を有し、第１片部６ｂと第２片部６ｃとを前後方向略同位置に配設し、第３片部６ｄと第４片部６ｅとを前後方向略同位置に配設し、第１・第２片部６ｂ，６ｃと、第３・第４片部６ｄ，６ｅと、を前後方向異なる位置に配設して、狭い内部空間を効率良く有効利用している。
また、正面視で、第１片部６ｂと第２片部６ｃとを回動軸心Ｌ６を中心として相互に約１８０度の反対位置に配設し、第３片部６ｄと第４片部６ｅとを回動軸心Ｌ６を中心として相互に約１８０度の反対位置に配設し、全体として略十字型に形成することで、回動部材６の重心位置が正面視で回動軸心Ｌ６と略同位置となり、バランスのとれたスムーズな回動を実現しつつ、回動部材６の軽量化を実現している。また、第４片部６ｅは、ロック力伝達部材91の左右方向の移動をスムーズにする（負荷を軽減する）ためのカウンターバランスとしても作用する。
【００２３】
また、ロック手段９は、ロック力伝達部材91の移動を阻止することで回動部材６の回動を阻止し、ロック力伝達部材91の移動阻止の解除（ロック解除）にて回動部材６を回動可能状態（回動許可状態）にするように構成したものであれば良い。
【００２４】
図４及び図５に於て、ロック手段９は、ロック力伝達部材91の基端部91ｂが下端部93ｂに枢結され中間部93ｃが移動壁本体１の内部固定部に枢支され上端部93ａにロック用切欠部93ｄを有するＬ字状の揺動ロック部材93と、ロック状態でロック用切欠部93ｄに入り込んで揺動ロック部材93の枢支軸心Ｌ９廻りの揺動を阻止する係合凸部94ｄを有すると共に左右方向に走行するための車輪94ｆを有する（左右方向スライド自在な）ロック用スライド部材94と、車輪94ｆが走行すると共に移動壁本体１の内部固定部に固着されたロック用レール部材97と、ロック用スライド部材94を左右他方側Ｅｄへ常時弾発付勢する引張コイルバネ等のロック用弾発付勢部材95と、枢支軸心Ｌ９廻りに揺動自在に設けたロック用操作レバー96と、を備えている。
【００２５】
揺動ロック部材93の切欠部93ｄは、係合凸部94ｄが係合したロック状態で、左右一方側Ｅｅへ開口するコの字状に形成されている。
また、ロック用弾発付勢部材95は、ロック状態で、係合凸部94ｄが切欠部93ｄから離脱しないように（左右他方向側Ｅｄへ押し込むように）スライド部材94を弾発付勢する。揺動ロック部材93は、切欠部93ｄ内に係合凸部94ｄが係合されることで、枢支軸心Ｌ９廻りの揺動が阻止される。
ここで、ロック力伝達部材91は、作動用弾発付勢部材60の弾発力によって左右一方側Ｅｅへ移動して回動部材６を回転一方向Ｎ１へ回動しようとする左右一方側Ｅｅへの引張力（作動力）Ｆａを受けている。揺動ロック部材93の下端部93ｂは、ロック力伝達部材91を、引張力Ｆａに抗して引き込んだ所定ロック位置に保持するものである。つまり、ロック力伝達部材91は、ロック状態において、作動用弾発付勢部材60を短縮状態で保持するように（回動部材６の回動を阻止するように）所定ロック位置に固定されている（移動が阻止されている）。
【００２６】
ロック手段９は、図４のロック状態から、スライド部材94のロック解除用操作部94ｅを介して、操作者から左右一方側Ｅｅへのスライド操作力Ｆｅを受けると、スライド部材94がロック用弾発付勢部材95の弾発力に抗して左右一方側Ｅｅへ移動し、係合凸部94ｄが、切欠部93ｄから離脱し、揺動ロック部材93が枢支軸心Ｌ９廻りに揺動自在となる。つまり、ロック力伝達部材91が左右一方側Ｅｅへ移動可能となり、回動部材６が回動可能なロック解除状態となる。すると、作動用弾発付勢部材60が伸長して、ロック力伝達部材91を左右一方側Ｅｅへ移動させ、回動部材６を回転一方向Ｎ１に回転させて、第１連結部材62が上昇すると共に第２連結部材63が降下して遮蔽状態となる。
【００２７】
その後、スライド操作力Ｆｅが解除されると、スライド部材94は、ロック用弾発付勢部材95によって左右他方側Ｅｄへ移動し、係合凸部94ｄはロック状態のときの位置を通過するように左右他方側Ｅｄへ移動、或いは、ロック状態のときと同じ位置に配設されるが、ロック力伝達部材91が、引張力Ｆａを受けて、揺動ロック部材93の下端部93ｂを左右一方側Ｅｅへ移動させ、上端部93ａを枢支軸心Ｌ９廻りに揺動させるため、係合凸部94ｄと切欠部93ｄは係合せず、図５に示すようにロック解除状態が保持される。
【００２８】
また、ロック解除状態から再びロック状態にするロック操作は、ロック用操作レバー96の把持部96ｂを引き上げて枢支軸心Ｌ９廻りに揺動させ、ロック用操作レバー96に設けた当り凸部96ａを左右一方側Ｅｅかつ下方へ移動させ、スライド部材94及び揺動ロック部材93に押し当てて、スライド部材94を左右一方側Ｅｅへ移動させると共に、揺動ロック部材93を枢支軸心Ｌ９廻りに揺動させ、ロック力伝達部材91を引張力Ｆａに抗して引き込む。すると、作動用弾発付勢部材60が弾発力に抗して短縮させられると共に、回動部材６が作動用弾発付勢部材60の弾発力に抗する回転他方向Ｎ２に回転する。また、ロック用操作レバー96を揺動させることで、揺動ロック部材93の切欠部93ｄ近傍に設けたガイド勾配面93ｅに係合凸部94ｄを摺接させつつ押圧して、スライド部材94を左右一方側Ｅｅへ移動させる。切欠部93ｄが左右一方側Ｅｅに開口するコノ字となるように配設されると、スライド部材94はロック用弾発付勢部材95の引張力により係合凸部94ｄが切欠部93ｄ内に落ち込むように移動して係合し、係合凸部94ｄが揺動ロック部材93の揺動を規制したロック状態となる。その後、ロック用操作レバー96を、操作前の姿勢に戻してロック操作完了となる。
【００２９】
次に、本発明の移動仕切り壁の使用方法（作動）について説明する。
図１に示すように、複数枚の移動壁本体１，１が平面視一直線状に配設された状態に於て、各移動壁本体１，１と天井12の間には走行のために設けた隙間が形成されると共に、各移動壁本体１と床13との間に走行のために設けた隙間が形成される。
【００３０】
移動壁本体１は、図２及び図４に示す非遮蔽状態から、ロック手段９のロック解除用操作部94ｅを操作すると、ロック解除状態となってロック力伝達部材91が移動自在となり、回動部材６が回動自在となる。
作動用弾発付勢部材60が伸長し、回動部材６が回転一方向Ｎ１に回転し、図３及び図５に示すように、回動部材６が第１連結部材62を押し上げると共に第２連結部材63を降下させる。回動部材６にて第１連結部材62が押し上げられ天井側遮蔽部材２が天井12に当接すると共に、第２連結部材63が押し下げられて床側遮蔽部材３が床13に当接し、遮蔽状態となる。
【００３１】
また、遮蔽を解除する場合は、図３及び図５の遮蔽完了状態からロック手段９のロック用操作レバー96を操作して、揺動ロック部材93を揺動させて、ロック力伝達部材91を左右他方向側Ｅｄへ引き込むように移動させる。つまり、操作レバー96の操作力を、ロック力伝達部材91を介して、作動用弾発付勢部材60を短縮させつつ回動部材６を回転他方向Ｎ２へ回転させて第１連結部材62への降下作動力及び第２連結部材63への上昇作動力に変換している。また、操作レバー96の操作にて、ロック力伝達部材91を左右他方側Ｅｄへ引き込んだ状態で、ロック用切欠部93ｄに係合凸部94ｄが係合して、揺動ロック部材93の揺動が阻止され、ロック力伝達部材91が所定ロック位置に停止される。
【００３２】
ロック力伝達部材91が左右他方側Ｅｄへ引き込まれる際、作動用弾発付勢部材60が短縮し、回動部材６は、作動用弾発付勢部材60の弾発力に抗する方向（回転他方向Ｎ２）へ回動し、第１連結部材62を降下させると共に、第２連結部材63を上昇させ、第１連結部材62の降下にて天井12から天井側遮蔽部材２を離間させると共に、第２連結部材63の上昇床13にて、床側遮蔽部材３を離間させて、非遮蔽状態となる。
【００３３】
次に、他の実施形態は、図示省略するが、移動壁本体１と、室内の左右一方側Ｅｅ又は左右他方側Ｅｄの側壁面と、の間を遮蔽するための側壁側遮蔽部材を備え、さらに、側壁側遮蔽部材に先端部が連結され側壁側遮蔽部材に左右方向の移動力を伝達するための第３連結部材を具備している。
そして、第３連結部材の基端部を、回動部材６の第４片部６ｅに枢結したものである。このように構成することで、全体の簡素化及び軽量化を図りながらも、移動壁本体１と室内の側壁面との間を遮蔽でき、遮音性や遮光性をより向上できる。天井側遮蔽部材２、床側遮蔽部材３、第１・第２連結部材62，63、回動部材６、ロック手段９、作動用弾発付勢部材60等の他の構成及び作用効果は上述の実施形態と同様である。
【００３４】
なお、本発明は、設計変更可能であって、回動部材６の正面視形状は、図例の十字型に限らず、Ｔ字型や、円板型、三角板型や矩形型や多角形型等自由である。また、図示省略したが、天井側遮蔽部材２は遮蔽本体部20の天井側面に、床側遮蔽部材３は遮蔽本体部30の床側面に、側壁面側遮蔽部材は遮蔽本体部の側壁面側に、シール用パッキン部材を有している。なお、本発明に於て側壁面とは、壁や柱、ロッカーや棚等の家具等の面である。移動壁本体１の内部固定部は、移動壁本体１の内部空間に接する正面壁部材10、背面壁部材11、枠体、補強部材、或いは、それらに固着され内部空間に配設された固定部材等自由である。
また、天井側遮蔽部材２に上昇力を付与すると共に床側遮蔽部材３に降下力を付与するための作動用弾発付勢部材60の基端部60ｂを、移動壁本体１の内部固定部に枢着すると共に、先端部60ａを回動部材６の第３片部６ｄに枢結するも良い。例えば、ロック用枢結軸心Ｌｄと、作動源用枢結軸心Ｌｇと同軸心状（上）に配設するも良い。このように構成すると、作動用弾発付勢部材60の弾発力（作動力）を効率良く第１・第２連結部材62，63に伝達できる。
【００３５】
以上のように、本発明の移動仕切り壁は、移動壁本体１の上端縁部１ａに上下移動可能に設けられ上端縁部１ａと室内の天井12との間を遮蔽するための天井側遮蔽部材２と、移動壁本体１の下端縁部１ｂに上下移動可能に設けられ下端縁部１ｂと室内の床13との間を遮蔽するための床側遮蔽部材３と、天井側遮蔽部材２に上端部62ａが連結され天井側遮蔽部材２に昇降力を伝達するための第１連結部材62と、床側遮蔽部材３に下端部63ｂが連結され床側遮蔽部材３に昇降力を伝達するための第２連結部材63と、を備えた移動間仕切り壁に於て、正面視で移動壁本体１の中央領域の内部空間に回動自在に配設された回動部材６を備え、回動部材６に、第１連結部材62の下端部62ｂと、第２連結部材63の上端部63ａとを、枢結したので、天井側遮蔽部材２と床側遮蔽部材３とを簡素な構造をもって機械的に連動連結でき、軽量・薄型に容易に製作できる。また、作動時の摩擦が少なく（伝達ロスが少なく）スムーズに効率良く各遮蔽部材２，３を移動させることができる。従って、小さな動力源（小径のガススプリング）で、遮蔽部材２，３を作動させることができる。容易かつ迅速に製造でき、製造効率を向上させ製造コストを大幅に削減できる。軽量化を実現でき、容易に軽い力で走行（移動）させることができて使い勝手を向上できる。
【００３６】
また、天井側遮蔽部材２の上昇及び床側遮蔽部材３の降下を阻止するためのロック手段９を備え、ロック手段９は、回動部材６に先端部91ａが枢結されロック状態で回動部材６の回動を阻止するためのロック力伝達部材91を具備しているので、ロック操作力を効率良く第１・第２連結部材62，63に伝達できる。部品点数を削減でき、全体の簡素化・軽量化が図れる。
【符号の説明】
【００３７】
１  移動壁本体
１ａ  上端縁部
１ｂ  下端縁部
２  天井側遮蔽部材
３  床側遮蔽部材
６  回動部材
９  ロック手段
12  天井
13  床
Ｌ６  回動軸心
62  第１連結部材
62ａ  上端部
62ｂ  下端部
63  第２連結部材
63ａ  上端部
63ｂ  下端部
91  ロック力伝達部材
91ａ  先端部
【図１】
2018053481.tif 000003
【図２】
2018053481.tif 000004
【図３】
2018053481.tif 000005
【図４】
2018053481.tif 000006
【図５】
2018053481.tif 000007
【図６】
2018053481.tif 000008